(57)【要約】【課題】再生画のＶ同期はずれを防止する。【解決手段】代替Ｖパルス生成部１５にて、再生基準信号に対し一定位相になる代替Ｖパルスを生成し、再生Ｖパルス欠落検出部１６で検出される垂直同期パルスの欠落数が所定数に達した場合、切替部１７で、補間した予測Ｖパルスの代わりに代替Ｖ同期パルスを用いて映像の再生処理を行うように切り替える。【選択図】        図１
2004215198.tif 000002
【特許請求の範囲】
【請求項１】
映像情報の再生のための垂直同期パルスが欠落した場合に、これを補間して再生する映像再生装置において、
前記映像情報の再生のための垂直同期パルスの欠落を検出し、欠落数を計数する垂直同期パルス欠落検出部と、
再生基準信号に対し一定位相になる代替垂直同期パルスを生成する代替垂直同期パルス生成部と、
前記欠落数が所定数に達した場合、補間された前記垂直同期パルスの代わりに、前記代替垂直同期パルスを前記映像情報の再生に用いるように切り替える切替部と、
を有することを特徴とする映像再生装置。
【請求項２】
前記再生基準信号は、磁気テープに記録された前記映像情報を再生するヘッドを切り替えるヘッド切替パルスであることを特徴とする請求項１記載の映像再生装置。
【発明の詳細な説明】
【０００１】
【発明の属する技術分野】
本発明は映像を再生する映像再生装置に関し、特に可変速再生用のＤＴヘッドを有し、映像情報の再生のための垂直同期パルスが欠落した場合、ヘッド高さをもとに、これを補間して再生する映像再生装置に関する。
【０００２】
【従来の技術】
ビデオテープレコーダの可変速再生用のヘッドとして、ＤＴヘッド（ダイナミックトラッキングヘッド）が用いられている。ＤＴヘッドは、回転ドラムに設置され、ヘッドチップをバイモルフなどの圧電素子に乗せてある。この圧電素子に所定の電圧をかけることにより、可変速再生時でも、トラックに追従できるようにヘッド高さを変えることができる。
【０００３】
従来、このようなＤＴヘッドを用いた映像再生装置において、可変速再生時での再生画質の向上など様々な改良が行われている（例えば特許文献１）。
ここで、映像を再生する従来の映像再生装置について説明する。
【０００４】
図３は、従来の映像再生装置の構成図である。
映像再生装置２０は、磁気テープ５０の記録情報を再生するＤＴヘッド２１ａ、２１ｂと、映像信号の処理を行う映像信号処理部２２と、ＤＴヘッド２１ａ、２１ｂを制御するＤＴヘッド制御部２３と、再生基準信号を生成する基準信号生成部２４と、から構成される。
【０００５】
ＤＴヘッド２１ａ、２１ｂは、回転ドラムに巻きつけられる磁気テープ５０上の記録トラックをスキャンして記録情報を再生する。また、ＤＴヘッド２１ａ、２１ｂは、互いに回転ドラムの対向する位置に設けられ、再生基準信号により回転ドラムの回転と同期して１８０°ごとに切り替えられ、一方のＤＴヘッドが常に記録トラックをスキャンする。
【０００６】
映像信号処理部２２は、ＤＴヘッド２１ａ、２１ｂより出力される再生ＲＦ信号を入力し復調して映像として再生する。さらに、再生ＲＦ信号より垂直同期パルス（以下再生Ｖパルスと呼ぶ）と、水平同期パルス（以下再生Ｈパルスと呼ぶ）を抽出し復調し、ＤＴヘッド制御部２３に送出する。映像信号処理部２２での映像の再生処理の際の垂直同期信号は、再生Ｖパルスは用いずにＤＴヘッド制御部２３で再生成した垂直同期パルス（以下再生Ｖパルスと区別してＶパルスと呼ぶ）を用いる。これは、記録異常などで再生Ｖパルスが欠落した場合、前回のＶパルスの位相をもとに今回のＶパルスを補間生成しなければならないが、可変速再生の場合、前述のようにＤＴヘッド２１ａ、２１ｂのヘッド高さが変わるので、これが可能なのはヘッドを制御しているＤＴヘッド制御部２３だけだからである。
【０００７】
ＤＴヘッド制御部２３は、再生するＤＴヘッド２１ａ、２１ｂの切替や、再生速度に応じて、ＤＴヘッド２１ａ、２１ｂの高さを制御し、トラックに追従できるようにする。さらに、映像信号処理部２２から送出される再生Ｖパルスと再生Ｈパルスをもとに、ＤＴヘッド２１ａ、２１ｂの高さからＶパルスを再生成する。また、再生Ｖパルスが、記録異常やヘッドクロッグなどで再生されず欠落した場合、前回のＶパルスの位相と今回のＤＴヘッド高さをもとに今回のＶパルスを予測して補間する。
【０００８】
なお、各部は、機器全体を制御する図示しないシステムコントローラなどで制御される。
以下、従来の映像再生装置２０の動作を、タイミングチャートを用いて説明する。
【０００９】
図４は、従来の映像再生装置の動作を説明するタイミングチャートである。
ここで、リファレンスフレームパルスと、これと同期したＤＴヘッド２１ａ、２１ｂを切り替えるヘッド切替パルスは、図３ではまとめて再生基準信号とした信号である。
【００１０】
ＤＴヘッド２１ａ、２１ｂより再生ＲＦ信号が入力されると、１フィールド分のデータで１画面を構成するので、フィールドの先頭付近に記録されている再生Ｖパルスを映像信号処理部２２で抽出する。このとき、リファレンスフレームパルスまたはヘッド切替パルスのエッジから、再生Ｖパルスの立ち上がりまで時間ｔ１０が生じる。これは、ＤＴヘッド２１ａ、２１ｂで可変速再生中は磁気テープ５０の位相が再生基準信号にロックしないため、ＤＴヘッド２１ａ、２１ｂの記録トラックに突入する高さが常に変動することから生じる時間である。
【００１１】
映像信号処理部２２が再生ＲＦ信号より、再生Ｖパルスを正しく抽出できた場合、ＤＴヘッド制御部２３には映像信号処理部２２より送出される再生Ｖパルスの立ち上がりで割り込みがかかる。ここで、ＤＴヘッド制御部２３は時間ｔ１１をクロックカウンタで測定し、Ｖパルスの下がりエッジを生成する。次に、時間ｔ１２をクロックカウンタで測定し、Ｖパルスの上がりエッジを生成する。この上がりエッジ生成以降は、時間ｔ１３で示される時間を再生Ｈパルスのパルスをカウントして測定する。
【００１２】
次の再生Ｖパルスが正確に送られてきた場合は、再びその立ち上がりでＤＴヘッド制御部２３に割り込みがかかり、ＤＴヘッド制御部２３は再生Ｈパルスのカウントを中止し、時間ｔ１１、ｔ１２のクロックカウントでＶパルスを生成する。しかし図中に示すように再生Ｖパルスが欠落した場合、ＤＴヘッド制御部２３に割り込みがかからないのでＤＴヘッド制御部２３は、再生Ｈパルスを所定数（時間ｔ１０の変動幅予測も含む）カウントし、カウント終了時点で予測Ｖパルスの下がりエッジを生成する。映像信号処理部２２は、この予測Ｖパルスを垂直同期信号として用いて映像の再生を行う。
【００１３】
なお、時間ｔ１４の時間幅のように再生ＲＦがない区間では、水平同期パルスも存在しない。よって映像信号処理部２２では、直前の水平同期パルス列をもとに補間した再生ＨパルスをＤＴヘッド制御部２３に送出する。
【００１４】
【特許文献１】
特開平１０−２４１１３０（段落番号〔００１８〕〜〔００８８〕，第１図）
【００１５】
【発明が解決しようとする課題】
しかし、補間する再生Ｈパルスの周期に十分な精度を得ることが難しく、結果として予測Ｖパルスのエッジタイミングが本来あるべき位相からずれてしまうという問題がある。
【００１６】
再生Ｖパルスの欠落が連続数発程度ならば、予測Ｖパルスの位相ずれは問題にならない。しかし、長時間に及ぶと位相ずれが蓄積されて、再生基準信号に対して予測Ｖパルスの位相が流れ、再生画において垂直同期信号の同期はずれ（以下Ｖ同期はずれと呼ぶ）が起こってしまう。
【００１７】
これによって、例えば、記録異常などによって１フィールドだけ垂直同期パルスが正確に記録されなかった磁気テープを再生する場合、テープ速度がある程度速ければ何ら問題はないが、そのフィールドで静止画を再生しようとすると、Ｖ同期はずれを起こしたままの画が再生され続けてしまうという問題があった。さらには、このような画が突然出力されることで、ユーザはビデオテープレコーダの故障や、テープのダメージなどを心配し、不安を抱くことになってしまうという問題があった。
【００１８】
本発明はこのような点に鑑みてなされたものであり、再生画のＶ同期はずれを防止した映像再生装置を提供することを目的とする。
【００１９】
【課題を解決するための手段】
本発明では上記課題を解決するために、映像情報の再生のための垂直同期パルスが欠落した場合に、これを補間して再生する映像再生装置において、前記映像情報の再生のための垂直同期パルスの欠落を検出し、欠落数を計数する垂直同期パルス欠落検出部と、再生基準信号に対し一定位相になる代替垂直同期パルスを生成する代替垂直同期パルス生成部と、前記欠落数が所定数に達した場合、補間された前記垂直同期パルスの代わりに、前記代替垂直同期パルスを前記映像情報の再生に用いるように切り替える切替部と、を有することを特徴とする映像再生装置が提供される。
【００２０】
上記の構成によれば、垂直同期パルスが所定数欠落すると、切替部によって代替垂直同期パルス生成部で生成された代替垂直同期パルスが、補間された垂直同期パルスの代わりに映像再生時の同期信号として用いられ、再生画のＶ同期はずれを防止する。
【００２１】
【発明の実施の形態】
以下本発明の実施の形態を図面を参照して説明する。
ここでは、本発明の実施の形態として、可変速再生が可能なビデオテープレコーダに適用される映像再生装置を説明する。
【００２２】
図１は、本発明の実施の形態の映像再生装置の構成図である。
本発明の実施の形態の映像再生装置１０は、磁気テープ５０の記録情報を再生するＤＴヘッド１１ａ、１１ｂと、映像信号の処理を行う映像信号処理部１２と、ＤＴヘッド１１ａ、１１ｂを制御するＤＴヘッド制御部１３と、再生基準信号を生成する基準信号生成部１４と、後述する代替Ｖパルスを生成する代替Ｖパルス生成部１５と、再生Ｖパルスの欠落数を計数する再生Ｖパルス欠落検出部１６と、ＤＴヘッド制御部１３からのＶパルスの出力か代替Ｖパルスの出力かを切り替える切替部１７と、を有する。
【００２３】
ＤＴヘッド１１ａ、１１ｂは、図示しない回転ドラムに巻きつけられる磁気テープ５０上の記録トラックをスキャンして記録情報を読み込む。また、ＤＴヘッド１１ａ、１１ｂは、互いに回転ドラムの対向する位置に設けられ、再生基準信号により回転ドラムの回転と同期して１８０°ごとに切り替えられ、一方のＤＴヘッドが常に記録トラックをスキャンする。
【００２４】
映像信号処理部１２は、ＤＴヘッド１１ａ、１１ｂより出力される再生ＲＦ信号を入力し復調して映像として再生する。さらに、再生ＲＦ信号より再生Ｖパルスと、再生Ｈパルスを抽出し復調し、ＤＴヘッド制御部１３に送出する。映像の再生処理の際の同期信号は、再生Ｖパルスは用いずに、ＤＴヘッド制御部１３で再生成したＶパルスを用いる。
【００２５】
ＤＴヘッド制御部１３は、再生するＤＴヘッド１１ａ、１１ｂの切替や、再生速度に応じて、ＤＴヘッド１１ａ、１１ｂの高さを制御し、トラックに追従できるようにする。さらに、映像信号処理部１２から送出される再生Ｖパルスと再生Ｈパルスをもとに、ＤＴヘッド１１ａ、１１ｂの高さからＶパルスを再生成する。また、再生Ｖパルスが、記録異常やヘッドクロッグなどで再生されず欠落した場合、前回のＶパルスの位相と今回のＤＴヘッド高さをもとに今回のＶパルスを予測して、予測Ｖパルスを生成し補間する。
【００２６】
基準信号生成部１４は、ＤＴヘッド１１ａ、１１ｂの切替を行うためなどに用いられる再生基準信号を生成する。
代替Ｖパルス生成部１５は、再生基準信号に対して常に一定位相を保つような代替Ｖパルスを生成する。代替Ｖパルス生成部１５は、モノマルチ（モノステーブル  マルチバイブレータ）などで実現できる。
【００２７】
再生Ｖパルス欠落検出部１６は、再生Ｖパルスの欠落を検出し、欠落数をカウントする。再生Ｖパルス欠落検出部１６は、カウンタなどで実現できる。
切替部１７は、再生Ｖパルス欠落検出部１６での、再生Ｖパルスの欠落のカウントが所定数に達した場合、予測Ｖパルスの代わりに、代替Ｖパルスを映像信号処理部１２に出力するように切り替える。
【００２８】
なお、各部は、機器全体を制御する図示しないシステムコントローラなどで制御される。
以下、本発明の実施の形態の映像再生装置１０の動作を、タイミングチャートを用いて説明する。
【００２９】
図２は、本発明の実施の形態の映像再生装置の動作を説明するタイミングチャートである。
ここで、リファレンスフレームパルスと、ＤＴヘッド１１ａ、１１ｂを切り替えるヘッド切替パルスは、図１では再生基準信号とした信号である。
【００３０】
代替Ｖパルス生成部１５では、再生基準信号（リファレンスフレームパルスまたはヘッド切替パルス）のエッジを検出し、このエッジに対して常に一定位相、図２では時間ｔ１で示される所定の時間幅をクロックカウンタで測定し、代替Ｖパルスの下がりエッジを生成する。さらに時間ｔ２で示される所定の時間をクロックカウンタで測定し、代替Ｖパルスの上がりエッジを生成する。
【００３１】
ＤＴヘッド１１ａ、１１ｂより再生ＲＦ信号が入力されると、１フィールド分のデータで１画面を構成するので、フィールドの先頭付近に記録されている再生Ｖパルスを映像信号処理部１２で抽出する。このとき、リファレンスフレームパルスまたはヘッド切替パルスのエッジから、再生Ｖパルスの立ち上がりまで時間ｔ３の時間幅が生じる。これは、ＤＴヘッド１１ａ、１１ｂで可変速再生中は磁気テープ５０の位相が再生基準信号にロックしないため、ＤＴヘッド１１ａ、１１ｂの記録トラックに突入する高さが常に変動することから生じる。
【００３２】
映像信号処理部１２が再生Ｖパルスを正しく再生ＲＦ信号より抽出できた場合、ＤＴヘッド制御部１３には再生Ｖパルスの立ち上がりで割り込みがかかる。ここで、ＤＴヘッド制御部１３は時間ｔ４で示される所定の時間をクロックカウンタで測定し、Ｖパルスの下がりエッジを生成する。次に、時間ｔ５で示される所定の時間をクロックカウンタで測定し、Ｖパルスの上がりエッジを生成する。この上がりエッジ生成以降は、時間ｔ６で示される時間幅を再生Ｈパルスのパルスカウントで測定する。
【００３３】
次の再生Ｖパルスが正確に送られてきた場合は、再びその立ち上がりでＤＴヘッド制御部１３に割り込みがかかり、ＤＴヘッド制御部１３は再生Ｈパルスのカウントを中止し、時間ｔ４、ｔ５のクロックカウントでＶパルスを生成する。しかし図中に示すように再生Ｖパルスが欠落した場合、ＤＴヘッド制御部１３に割り込みがかからないのでＤＴヘッド制御部１３は、再生Ｈパルスを所定数（時間ｔ３の変動幅予測も含む）カウントし、カウント終了時点で予測Ｖパルスの下がりエッジを生成する。映像信号処理部１２は、この予測Ｖパルスを同期信号として用いて映像の再生を行う。
【００３４】
なお、時間ｔ７のように再生ＲＦ信号がない区間では、水平同期パルスも存在しない。よって映像信号処理部１２では、直前の水平同期パルス列をもとに補間した再生ＨパルスをＤＴヘッド制御部１３に送出する。
【００３５】
さらに、本発明の実施の形態の映像再生装置１０では、再生Ｖパルスが欠落した場合、再生Ｖパルス欠落検出部１６により再生Ｖパルスの欠落が検出され、１パルス欠落するたびに、カウンタアップして計数する。再生Ｖパルス欠落検出部１６での計数の結果が所定の値に達した場合、再生Ｖパルス欠落検出部１６は、切替部１７にその旨の信号を送出する。
【００３６】
切替部１７は、この信号を受けて、ＤＴヘッド制御部１３で補間されて生成された予測Ｖパルスの出力から、代替Ｖパルス生成部１５で生成された代替Ｖパルスの出力に切り替える。映像信号処理部１２は、垂直同期信号として予測Ｖパルスの代わりに代替Ｖパルスを用いて、映像を再生する。
【００３７】
ここで、代替Ｖパルスの出力に切り替える際の所定の値は、再生画がＶ同期はずれを起こさない程度に適宜調整する。例えば、５〜１０パルス程度で切り替えるようにする。
【００３８】
その後、再び、正確な再生Ｖパルスが入力された場合は、再生Ｖパルス欠落検出部１６の計数値をリセットする。映像信号処理部１２は、ＤＴヘッド制御部１３で生成されるＶパルスを用いて映像を再生する。
【００３９】
このように、再生Ｖパルスが所定数欠落した場合、位相ずれを起こす予測Ｖパルスの代わりに、再生基準信号に対して常に一定位相となる代替Ｖパルスを、同期信号として用いることで、再生画がＶ同期はずれを起こしたままになってしまうことを防止できる。それゆえ、ユーザに不安を抱かせることも無くなる。
【００４０】
【発明の効果】
以上説明したように本発明では、再生基準信号に対し一定位相になる代替の垂直同期パルスを生成し、垂直同期パルスの欠落数が所定数に達した場合、補間した垂直同期パルスの代わりに、この代替の垂直同期パルスを用いるようにした。
【００４１】
これにより、垂直同期パルスが所定数欠落した場合、位相ずれを起こす補間した垂直同期パルスの代わりに、再生基準信号に対して一定位相となる代替の垂直同期パルスを、同期信号として用いることで、再生画がＶ同期はずれを起こしたままになってしまうことを防止できる。それゆえ、ユーザに不安を抱かせることも無くなる。
【図面の簡単な説明】
【図１】本発明の実施の形態の映像再生装置の構成図である。
【図２】本発明の実施の形態の映像再生装置の動作を説明するタイミングチャートである。
【図３】従来の映像再生装置の構成図である。
【図４】従来の映像再生装置の動作を説明するタイミングチャートである。
【符号の説明】
１０……映像再生装置、１１ａ、１１ｂ……ＤＴヘッド、１２……映像信号処理部、１３……ＤＴヘッド制御部、１４……基準信号生成部、１５……代替Ｖパルス生成部、１６……再生Ｖパルス欠落検出部、１７……切替部、５０……磁気テープ
【図１】
2004215198.tif 000003
【図２】
2004215198.tif 000004
【図３】
2004215198.tif 000005
【図４】
2004215198.tif 000006